(57)【要約】【課題】風防ガラス面の触覚によって、タッチセンサの操作ポイント位置を感知でき、しかも時計の美観、厚さや形状をコンパクトに保つタッチセンサ付き時計を提供すること。【解決手段】風防ガラス２の内部に容量変化検出用の複数個のセンサ電極を設け、風防ガラスの上面にはその全面より小さく、触覚によってその形状が識別可能な動作領域２aを設定し、動作領域の下部に複数個のセンサ電極５を平面的に配置したこと。具体的には、動作領域を稜線部２ｃを有する浅い凹面としたこと、稜線部の外側にもセンサ電極を配したこと、動作領域内部のセンサ電極の個々に対応させて触覚が異なる小領域を設けたこと、稜線部の直下にセンサ電極を配したこと、稜線部にも変形部分を設けたこと、風防ガラスを多面体形状としその各面にセンサ電極を割り当てたこと等の構成を含む。【選択図】  図１
2013142577.tif 000002
【特許請求の範囲】
【請求項１】
時刻表示部の前面を覆う風防と、平面的には前記風防の輪郭内に配置された、前記風防の上面における使用者の指の接触を感知するための容量変化検出用のセンサ電極を備えており、前記風防の上面には、該風防の全面よりは小さく、指の感触によって形状が識別可能である動作領域を設け、前記センサ電極は前記動作領域に平面的に重なって配置されていることを特徴とするタッチセンサ付き時計。
【請求項２】
前記風防の上面は稜線部を有して感触で識別される、２つの平面的領域である内側領域と外側領域を形成しており、前記内側または外側領域は動作領域であって浅い凹面をなしていることを特徴とする請求項１に記載のタッチセンサ付き時計。
【請求項３】
前記動作領域内の浅い凹面には、更に部分的な凹部、凸部、または周囲と感触の異なる表面を有する小領域が形成されており、前記センサ電極は、前記小領域と平面的に重なるように配置されていることを特徴とする請求項２に記載のタッチセンサ付き時計。
【請求項４】
前記風防の上面は稜線部を有して感触で識別される、２つの動作領域である内側領域と外側領域を形成しており、前記内側領域は浅い凹面をなし、前記外側領域は凸面をなしており、前記センサ電極の少なくとも一部が、前記凸面をなす外部領域内に平面的に配置されていることを特徴とする請求項１から３のいずれか１項に記載のタッチセンサ付き時計。
【請求項５】
前記外側領域内の凸面には、更に部分的な凹部、凸部、または周囲と感触の異なる小領域が形成されており、前記外部領域内に平面的に配置されるセンサ電極は、前記小領域と重なるように平面的に配置されていることを特徴とする請求項４に記載のタッチセンサ付き時計。
【請求項６】
前記風防は感触で識別される稜線部を有しており、前記動作領域は前記稜線部を含むようにし、前記センサ電極が、前記稜線部を跨ぐように平面的に配置されていることを特徴とする請求項１に記載のタッチセンサ付き時計。
【請求項７】
前記稜線部には、それと重なりまたはそれを分断する感触の異なる小部分が設けられ、前記稜線部と重なるように配置された前記センサ電極は、前記小部分と重なるように、平面的に配置されていることを特徴とする請求項６に記載のタッチセンサ付き時計。
【請求項８】
前記風防の上面を多面体形状とし、その多面体の個々の面の少なくとも一部を指の感触によって識別可能である複数の動作領域とし、前記多面体の個々の面または稜線部と重なる平面的位置に、前記複数のセンサ電極の各々の平面的位置を割り当てて配置したことを特徴とする請求項１に記載のタッチセンサ付き時計。
【請求項９】
前記多面体の個々の面の少なくとも一部は、浅い凹面をなしていることを特徴とする請求項８に記載のタッチセンサ付き時計。
【請求項１０】
前記稜線部を跨ぐセンサ電極に指を近づけたときに奏する機能は、他の操作部材の操作に応じて切り替えられることを特徴とする請求項６または請求項７に記載のタッチセンサ付き時計。
【発明の詳細な説明】
【技術分野】
【０００１】
本発明は、時計の表示面を保護する風防ガラスに設けた操作ポイントに指等を触れることにより、時計の機能を制御するタッチセンサ付き時計に関する。
【背景技術】
【０００２】
従来、時計の風防ガラスの直下（内面）に、内部の制御回路に接続された指頭程度の大きさの透明なセンサ電極のパターンをいくつか設け、この電極の１つに対向する位置の風防ガラスの上面に指頭などを触れると、その電極と人体の間の容量が増大するので、指が操作ポイント（その電極面のほぼ真上の風防ガラス面を指す）に触れたときまたは指を離した時に、その電極のみを選択して操作信号を時計に与えることができる。このような時計の一例の態様の要部を図６に示す。
【０００３】
図６において、（ａ）は時計の正面図（１２時方向を図の上方として、その表示の正面を示している）、（ｂ）はその指針中心軸を通るＧ−Ｇ面に沿った断面図であり、その内部構造の一部を示している。１は時計（腕時計）のケースであり、ケース胴１ｃ、ベゼル１ｂ、裏蓋１ｄ、バンド取付足１ａ（ケース胴１ｂと一体）を備えている。また、時計１は、外部操作部材としてリューズ１ｅ、プッシュボタン１ｆ等を備えている。風防ガラス２はベゼル１ｂに固着されている。通常、風防ガラスも時計ケースの一部とされるが、ここではその担う機能の要部であるため別格に扱って説明を進める。
【０００４】
図６（ａ）においてその上面を手前側に向けている風防ガラス２の周辺部の下面（時計ケース１の内面側）には、透明電極材料から成り、薄膜状のパターンであるセンサ電極５が固着されている。センサ電極５は本例では６個あり、それぞれ１２時、２時、４時、６時、８時、１０時方向に設けられている。センサ電極５の厚さは、断面面（ｂ）上では誇張して示してある。
【０００５】
また時刻表示のための主要部品である文字板４（平面図（ａ）においては指針軸の穴４ａのみが図示されている）の上面側には、センサ電極５のそれぞれが司る機能（そのセンサ電極が接続されている回路によって規定される）と、それぞれの機能の操作ポイントの大体の位置を表示するために風防ガラス２越しに視認される機能表示６が印刷などによって固定表示されている（その厚さも断面図上では誇張がある）。
【０００６】
図示した機能表示の意味は、「ＳＥＴ」は時刻合わせ状態への移行、「Ｌ−ＴＭ」は世界時計機能におけるローカルタイム表示、「ＴＭＥ」は他の機能から現在時刻表示への復帰、「ＣＡＬ」はカレンダー表示、「ＣＨＲ」はクロノグラフ動作、「ＡＬＭ」はアラーム時刻セットおよびアラーム発音のＯＮ、ＯＦＦである。
【０００７】
図６において、ケース内部に収納される、時計ムーブメント、指針軸、指針（時刻表示および選択した機能に関連する表示を行う）、機能制御用回路、センサ電極５と機能制御回路を接続する導電パターンやコネクタは図示を省略されている。
【０００８】
このような従来技術においては、まずタッチセンサにおいては操作入力に対するフィードバック感覚が触覚によって得られない。また、センサ電極が透明であるため、操作ポイントの位置が必ずしも明瞭でないし、機能表示６があっても周囲が暗い環境では操作時に指頭を触れる目標にならないという不利がある。この不利を補うための工夫が、例えば下記のような先行技術文献によって提案されている。
【先行技術文献】
【特許文献】
【０００９】
【特許文献１】特開平１１−１４７６４号公報
【特許文献２】特開２００４−９３５６８号公報  特許文献１に記載された従来技術は、平板状の風防ガラスとその外側にベゼルを設け、風防ガラスの周辺部に１２個の操作ポイントを設定する。各操作ポイントに位置するセンサ電極の方向位置は、１２時と１時の間、１時と２時の間、２時と３時の間、……１１時と１２時の間にある。また風防ガラスをリング状に囲むベゼルはその幅を比較的広くし、各時（１２時、１時、２時、……）の位置（１時間おき）に、時字（正時を示す指標）を兼ねた１２個の突起を設ける。使用者は、指先を隣り合う２つの突起の間に指頭を置き、次いで指頭を時計の中心方向に風防ガラスの少し内側まで滑らせれば、指頭の下面が選択したセンサ電極の１つの真上に正しく案内されるというものである。
【００１０】
特許文献２に記載された従来技術もほぼ同様であって、風防ガラスの下の各時間マーキングの位置に１２個の容量センサを配置し、そのセンサへの指の案内のため、ベゼル上面の12時、３時、６時、９時の４方向に隆起した突起であるマーキングを設けて触覚による指の案内部材とするものである。また変形例として、ベゼルに突起を設けることなく、風防ガラスに不可視のマーキングを設けることも記載されている（段落００２９）。
【発明の概要】
【発明が解決しようとする課題】
【００１１】
特許文献１に記載の従来技術においては、暗所でも操作の確実性は増すであろうが、確実に指先を案内しようとすると、突起の外径（１２個の突起の外端を連ねた円の直径）が時計の外径からはみ出すほどに大きくなり、またその高さ（時計面に垂直方向の高さ）も時計の上面よりも高く張り出すことになるので、時計が大型化し、操作手段をコンパクトにできるというタッチセンサ導入のメリットも活かせないし、華奢で美しい時計デザインができない。また時計の厚さも増すので腕に装着して携帯し難く、服の袖口も傷めやすいという欠点がある。
【００１２】
特許文献２に記載された従来技術においても、特許文献１に記載された技術と同様な欠点を有する。またこれに記載された変形例においては、詳細な説明はされていないが、ガラス面が平坦であるため、指先の感触に頼るだけでは確実な操作感を得ることはできないと思われる。
【００１３】
本発明においては、タッチセンサの操作ポイントの位置を、風防ガラス面の感触のみでは検知できないという従来技術の欠点を改善し、良好な操作感を得ることを課題とする。
【００１４】
本発明の目的は、風防ガラス面に触れたときの触覚によって、タッチセンサの操作ポイントの、少なくとも一方向の位置を感知でき、しかも時計の美観を損なわず、厚さや形状をコンパクトに保ちうるタッチセンサ付き時計を提供することである。
【課題を解決するための手段】
【００１５】
時刻表示部の前面を覆う風防と、平面的には前記風防の輪郭内に配置された、前記風防の上面における使用者の指の接触を感知するための容量変化検出用のセンサ電極を備えており、前記風防の上面には、該風防の全面よりは小さく、指の感触によって形状が識別可能である動作領域を設け、前記センサ電極は前記動作領域に平面的に重なって配置されていることを特徴とする。
【００１６】
このような構成にすることにより、使用者は動作領域の輪郭を指でなぞってセンサ電極の位置を確認し、確実な入力操作を行うことが容易になる。
【００１７】
また更に、前記風防の上面は稜線部を有して感触で識別される、２つの平面的領域である内側領域と外側領域を形成しており、前記内側領域は動作領域であって浅い凹面をなしており、前記センサ電極は前記動作領域内に平面的に配置されていることを特徴とする。
【００１８】
また更にこのような構成にすることにより、指は風防の凹面を感知し、その輪郭からセンサ電極位置を判定することが容易になる。
【００１９】
前記動作領域内の浅い凹面には、更に部分的な凹部、凸部、または周囲と感触の異なる表面を有する複数個の小領域が形成されており、前記センサ電極は、前記小領域と個々に重なるように平面的に配置されていることを特徴とする。
【００２０】
また更にこのような構成にすることによって、センサ電極の位置を二次元的に特定することが容易になり、タッチによる操作を一層容易かつ確実にすることができる。
【００２１】
前記風防の上面は稜線部を有して感触で識別される、２つの動作領域である内側領域と外側領域を形成しており、前記内側領域は浅い凹面をなし、前記外側領域は凸面をなしており、前記センサ電極の少なくとも一部が、前記凸面をなす外部領域内に平面的に配置されていることを特徴とする。
【００２２】
また更にこのような構成にすることにより、稜線部の内側のみならず、外側にもセンサ電極を配置して、センサ電極の数（すなわち機能の数）を増すことができる。
【００２３】
前記外側領域内の凸面には、更に部分的な凹部、凸部、または周囲と感触の異なる複数個の小領域が形成されており、前記外部領域内に平面的に配置される複数のセンサ電極は、前記小領域と個々に重なるように平面的に配置されていることを特徴とする。
【００２４】
また更にこのような構成にすることにより、稜線部の内外に配置したセンサ電極の二次元的な位置を、容易に触覚によって特定することができる。
【００２５】
前記風防ガラスは感触で識別される稜線部を有しており、前記動作領域は前記稜線部を含むようにし、前記センサ電極の全部または一部が、前記稜線部を跨ぐように平面的に配置されていることを特徴とする。
【００２６】
また更にこのような構成にすることにより、風防の稜線部を指でなぞることにより、センサ電極位置を特定することが容易になる。
【００２７】
前記稜線部には、それと重なりまたはそれを分断する複数の感触の異なる小部分が設けられ、前記稜線部と重なるように配置された前記センサ電極の各々は、前記小部分のそれぞれと重なるように、平面的に配置されていることを特徴とする。
【００２８】
またこのように構成することにより、センサ電極位置を稜線上で触覚により二次元的に特定することが容易になる。
【００２９】
前記風防の上面を多面体形状とし、その多面体の個々の面の少なくとも一部を指の感触によって識別可能である複数の動作領域とし、前記多面体の個々の面または稜線部と重なる平面的位置に、前記複数のセンサ電極の各々の平面的位置を割り当てて配置したことを特徴とする。
【００３０】
また更にこのように構成することにより、センサ電極位置を個々の多面体の面または稜
と関連付けて二次元的に特定することが容易になる。
【００３１】
前記多面体の個々の面の少なくとも一部は、浅い凹面をなしていることを特徴とする。
【００３２】
また更にこのように構成することにより、センサ電極位置の二次元的特定が更に容易になる。
【００３３】
前記稜線部を跨ぐセンサ電極に指を近づけたときに奏する機能は、他の操作部材の操作に応じて切り替えられることを特徴とする。
【００３４】
またこのように構成することにより、少ないセンサ電極数で多くの機能を制御することができる。
【発明の効果】
【００３５】
本発明においては、風防の形状とその触覚を用いて、透明なセンサ電極の位置（操作ポイント位置）を特定するので、その操作が視覚的にも触覚によっても容易となる。また操作ポイント位置が触覚によって確認されるので操作に伴う安心感を得ることができる。しかもその際、他の案内部材を風防以外の時計ケース部材に設けないことを可能にするので、時計の小型化、薄型化やデザインの自由化を図ることができる効果がある。
【図面の簡単な説明】
【００３６】
【図１】本発明の実施例１を示し、（ａ）は正面図、（ｂ）は断面図である。
【図２】本発明の実施例２を示し、（ａ）は正面図、（ｂ）は断面図である。
【図３】本発明の実施例３を示し、（ａ）は正面図、（ｂ）は断面図である。
【図４】本発明の実施例４を示し、（ａ）は正面図、（ｂ）は断面図、（ｃ）は下側面図の一部である。
【図５】本発明の実施例５を示し、（ａ）は正面図、（ｂ）は断面図である。
【図６】従来例を示し、（ａ）は正面図、（ｂ）は断面図である。
【発明を実施するための形態】
【実施例１】
【００３７】
図１は本発明の実施例１である腕時計を示し、（ａ）は時計の正面図（１２時方向を図の上方として、その表示の正面を示している）、（ｂ）はその指針中心軸を通るＡ−Ａ面に沿った断面図であり、その内部構造の一部を示している。
【００３８】
１は時計（腕時計）のケースであり、ケース胴１ｃ、風防ガラス２の外周を保持するベゼル１ｂ、裏蓋１ｄ、バンド取付足１ａ（ケース胴１ｃと一体）を備えている。また、時計ケース１は、外部操作部材としてリューズ１ｅ、プッシュボタン１ｆ等を備えている。風防ガラス２の外周部はベゼル１ｂに固着されている。風防ガラスはその奏する機能のため時計ケース１とは別格に扱って説明する。
【００３９】
図１（ａ）においてその上面を手前側に向けている風防ガラス２の周辺部の下面（時計ケース１の内面側）には、透明電極材料から成り、膜状のパターンであるセンサ電極５が
固着されている。センサ電極５は本例では６個あり、それぞれ１２時、２時、４時、６時、８時、１０時方向に設けられている。センサ電極５の厚さは、断面面（ｂ）上では誇張して示してある。
【００４０】
また時刻表示のための主要部品である文字板４（平面図（ａ）においては指針軸の穴４ａのみが図示されている）の上面側には、センサ電極５のそれぞれが司る機能（そのセンサ電極が接続されている回路によって規定される）と、それぞれの機能の操作ポイントの位置を表示するため、風防ガラス２を透して視認される機能表示６が印刷などによって固定表示されている（その厚さも断面図上では誇張がある）。本実施例の時計の有する機能および図示した機能表示の意味は、図６に示した従来例と同じとした。
【００４１】
更に図１において、ケース内部には、指針軸３ａおよび指針３ｂ（時刻表示および選択した機能に関連する表示を行う）を有し、機能制御回路５ｄ（集積回路）を搭載する回路基板５ｃを組み込んだ時計ムーブメント３が収納されている。また各センサ電極５と機能制御回路５ｄの各端子に連なる回路基板５ｃ上の電極パターン（図示せず）を接続するために、風防ガラス２の下面に設けた透明電極材料より成るリードパターン５ａ、およびいわゆるゼブラゴム（導電性ゴムと絶縁性ゴムを長手方向に交互に多数積層した可撓性の柱体）から成るコネクタ５ｂが設けられる。７は見返しリングで文字板４の周縁部を覆う。コネクタ５ｂは見返しリング７とベゼル１ｂによって視認できないように隠されている。
【００４２】
断面図（ｂ）に示すように、風防ガラス２の下面は平面であるが、上面の中央部は、平面的にその外径よりもいくらか小さい径をなすような比較的浅い凹面が形成されている。そしてその外側の風防ガラス２の上面は、ベゼル１ｂの下側を除きほぼ円錐面（凸面である）となっている。その結果、凹面と凸面との境界には稜線部２ｃが形成される。センサ電極５が配置されている凹面部を動作領域２ａと名付ける。６個のセンサ電極５はこの動作領域２ａの外縁である稜線部２ｃのすぐ内側に円周状に等間隔に配列されている。
【００４３】
各センサ電極５の位置に対応する風防ガラス上の各操作ポイントの位置は、まず機能表示６の場所によって視覚的に確認されるが、触覚のみによっても次のように確認できる。指がまず凹面を認識し更に凹面の輪郭である稜線部２ｃを認識すれば、操作ポイントはそのすぐ内側にあることが知れるから、少なくとも操作ポイントの半径方向の位置（基準は表示面の中心）は明瞭にわかる。操作ポイントの円周方向の位置も、時計ケースの他の部分の触覚的位置を援用すれば比較的容易に特定可能である。例えば、ＣＡＬ機能操作ポイントの方向は６時側のバンド幅の中央を指すし、ＣＨＲ機能操作ポイントの方向はプッシュボタン１ｆがあればその反対方向である。
【００４４】
このように、実施例１において風防ガラス２に動作領域２ａとして凹面部を設けることは、触覚による操作ポイントの認識を容易にするので、図６に示したような従来のタッチセンサ付き時計では乏しかった操作の確実感と安心感が得られる。また、ベゼル等に設ける案内用突起物をなくすこともできるので、時計の小型化、薄型化、装着性、およびデザイン性を改善することができる。また、凹面を備えた風防ガラスによって、時計に新規で独特の美的効果を与えることもできる。
【００４５】
＜実施例１の変形例＞
本実施例では円形の表示面を有する時計を示したが、角形の表示面を備えた時計であってもよい。このとき、稜線部の形状も角形や角を丸めた角形等異形にしてもよい。また、機能表示はアイコン等でもよく、その表示場所も文字板上に限らず異なる断面位置、例えば風防ガラスの上面、下面等に設けてもよい。また、センサ電極の大きさ、形状、断面的位置も、容量検出の必要な感度が得られるならば自由に選択可能である。また、稜線部が鋭くなると欠け易い傾向が生じるので、稜線を丸めたり、幅を与えたりしてもよい。
【００４６】
また、図示例とは逆に稜線部の外側の（円）錐状の面を広めにとり、この外側面をリング状の動作領域としてその内部にセンサ電極を配置することも可能である。また、センサ電極（操作ポイント）は等間隔に配置されるとは限らない。また、この構成は指針式時計に限定されるべきものでもない。更に、腕時計のみならず、懐中時計、置時計等大型の時計、あるいは他の電子機器の一部に組み込まれた時刻表示部に適用してもよい。これらの変形事項の少なくとも一部は、後述する本発明の他の実施例２〜５やそれらの変形例についても成立する。
【実施例２】
【００４７】
図２は本発明の実施例２である腕時計を示し、（ａ）は正面図、（ｂ）はその指針軸を通るＢ−Ｂ面に沿った断面図である。図２は実施例１と異なる構成のみを説明するため、それに必要な部品の表示に止め、実施例１と共通する要素については図示のみで説明を省略したものがある。また、本発明の範疇に属さず図１と共通する要素についてはそれらの図示を省略したものがある。また、機能表示６は枠線のみで示し、図示を簡略化してある。
【００４８】
本例において、各センサ電極５は実施例１と同様に、風防ガラス２の浅い凹面をなす動作領域２ａ内に配置されるが、風防ガラス２の上面の各センサ電極５の直上位置（操作ポイント）には、更に径小の凹面をなす小領域２ｂを設ける。
【００４９】
この周囲と形状の異なる小領域２ｂの存在によって、使用者は各センサ電極の位置（操作ポイント）を視覚的にはもとより、触覚のみでも容易に二次元的に探り当てることができるので、機能操作の確実性を向上させることができる。また使用者に、より高度な操作の達成感や安心感を与えることができる。
【００５０】
＜実施例２の変形例＞
なお、小領域２ｂの大きさは、センサ電極５の大きさよりも小さく図示されているが、これは必然的なものではない。操作の確実性が得られれば、両者は等しい大きさでなくてもよいし逆の大小関係になってもよい。相互の形状も自由である。また、小領域２ｂの表面は凹面でなくとも、凸面、段差面、傾斜の異なる面、突起やディンプルを設けた面等、視覚や触覚を周囲と異ならせた面とすることができる。また機能操作の種類に応じて小領域の形状や面の性質を異ならせてもよい。こうして操作方法を記憶しやすくすることもできる。
【実施例３】
【００５１】
図３は本発明の実施例３である腕時計を示し、（ａ）は正面図、（ｂ）はその指針軸を通るＣ−Ｃ面に沿った断面図である。図３は実施例１、２と異なる構成のみを説明するため、それに必要な部品の表示と必要な説明のみに止め、図１と共通する他の要素については、それらの図示を省略している。
【００５２】
本例においては、稜線部２ｃの径をやや小さくし、その内外の領域をそれぞれ第１の動作領域２ａ１、第２の動作領域２ａ２とし、それぞれの領域内に機能表示６１、６２を設けると共に、それらの操作ポイントを示す第１の小領域２ｂ１（稜線部２ｃの内側）、第２の小領域２ｂ２（稜線部２ｃの外側）をそれぞれ小凹面にして設けたものである。
【００５３】
この構成により、操作ポイントの数を、一挙に例えば２倍に増やすことができ、リューズやプッシュボタン等の外部操作部材を増したり操作を複雑化することなく、多彩な機能を比較的容易に実現できるようになる。また個々の操作ポイントに全く別個の機能を割り付けるのではなく、例えば内側の操作ポイントによって１つの主機能を選択し（例えばア
ラーム時刻のセット）、そのとき外側の操作ポイントは、その連続する複数個を指がなぞる速さを検出して時刻セットのスピードを調節するなどの性質の異なる使い方をしてもよい。また２本の指で、稜線部２ｃの内外にある操作ポイントを同時に操作できるようにしてもよい。
【００５４】
＜実施例３の変形例＞
稜線部の内外の操作ポイントは、同数である必要もなく、同じ方向に設ける必要もない。表示の中心から見て偏った方向に集めてもよく、配置の位相を異ならせてもよい。また、各小領域の形状や面の性質を互に異ならせてもよい。
【実施例４】
【００５５】
図４は本発明の実施例４である腕時計を示し、（ａ）は正面図、（ｂ）はその指針軸を通るＤ−Ｄ面に沿った断面図、また（ｃ）はＥ−Ｅ矢視の方向（６時方向）から見た下側面図の一部である。図４については実施例１〜３と異なる構成のみを明示するため、それに関連する部品の表示と必要な説明のみに止めている。
【００５６】
本例においては、風防ガラス２の内周凹面と外周凸面（円錐面）の境界である稜線部２ｃの近傍部分をリング帯状の動作領域とし、稜線部２ｃを跨ぐように各センサ電極５を配列している。また、小領域２ｄ上の操作ポイント位置（センサ電極５の真上）を触覚によって明確化するため、（ａ）、（ｂ）、（ｃ）各図に示すように、稜線部２ｃ上に、部分的にそれを分断する凹部をなす小領域２ｄを設けてある。また稜線部２ｃに適度な幅を与えて欠け易さを防止している。
【００５７】
センサ電極５のこの配置により、各センサ電極は２つの動作領域２ａ１、２ａ２を設定したとき、その双方に配置されていることにもなる。従って、外部操作部材または選ばれた操作ポイントの１つをあらかじめ操作しておくことにより、いずれか一方の動作領域に属する機能を果たすように設定しておくことができる。そのとき、内外領域に機能表示６１、６２も内外にそれぞれ設け、発現される機能をそれぞれ表示してある。このようにして、少数のセンサ電極を用いても、（例えば実施例３のような）多種類の機能を実現することができる。
【００５８】
＜実施例４の変形例＞
小領域２ｄの面の形状は凹面とは限らず、凸面でもよいし、感触の異なる他の面とすることもできる。
【実施例５】
【００５９】
図５は本発明の実施例５である腕時計を示し、（ａ）は正面図、（ｂ）はその指針軸を通るＦ−Ｆ面に沿った断面図である。図５は既述の実施例と異なる構成のみを説明するものである。
【００６０】
本例においては、凸多面体の形状を有する風防ガラスを使用する。そして多面体の各面の直下にセンサ電極５を配置する。センサ電極５が配置された多面体の面の集合を動作領域２ａとする。本例では、風防ガラス２の多面体の面のうち、周辺部の傾斜した面が動作領域２ａとなっている。各センサ電極は、いずれもそれが属する面のほぼ中央部に位置を占めている。
【００６１】
多面体の各面の傾斜角の差は通常あまり大きくはないが、それでもその境界をなす稜線部２ｃを触覚によって検知するのは十分容易である。また各面が平面であっても、その中心部を探り当てることに格別の困難性はない。従って、本例においては、触覚のみによっても操作ポイントの位置を二次元的に特定することができる。多角形をなす風防ガラスを
有する時計は既にかなり市場に流通しているが、その形状を実質的に変更することなくタッチセンサ付き時計を実現することができる。
【００６２】
＜実施例５の変形例＞
動作領域とした多面体の各面を、浅い凹面にしてもよい。このようにすることにより、操作ポイントの位置を、浅い凹面の最も深い部分の位置として、触覚で検出することが更に容易になる。またセンサ電極の直上に、他の実施例の如く凹部や性質が周囲と異なる小領域を設けることも操作を容易にする。また、センサ電極を、面の中央部ではなく、多面体の２面が交わる稜線部や、３面またはそれ以上の面が交わる稜線の集合部に設けるようにしてもよい。
【００６３】
＜その他の実施の形態＞
本発明の実施の形態は、以上に説明した各実施例やその変形例のみに限定されるものではない。記述の各例の特徴を部分的であっても組み合わせたり、新規あるいは公知的な要素を加えたりして新たな実施の形態を創設することが可能である。
【符号の説明】
【００６４】
１  時計ケース
１ａ  バンド取付足
１ｂ  ベゼル
１ｃ  胴
１ｄ  裏蓋
１ｅ  リューズ
１ｆ  プッシュボタン
２  風防ガラス
２ａ  動作領域
２ａ１  第１の動作領域
２ａ２  第２の動作領域
２ｂ、２ｄ  小領域
２ｃ  稜線部
３  時計ムーブメント
３ａ  指針軸
３ｂ  指針
４  文字板
４ａ  指針軸の穴
５  センサ電極
５１  第１の動作領域にあるセンサ電極
５２  第２の動作領域にあるセンサ電極
５ａ  リードパターン
５ｂ  コネクタ
５ｃ  回路基板
５ｄ  機能制御回路
６  機能表示
６１  第１の動作領域にある機能表示
６２  第２の動作領域にある機能表示
７  見返しリング
【図１】
2013142577.tif 000003
【図２】
2013142577.tif 000004
【図３】
2013142577.tif 000005
【図４】
2013142577.tif 000006
【図５】
2013142577.tif 000007
【図６】
2013142577.tif 000008